(57)【特許請求の範囲】
【請求項１】
一端が閉じられた筒状に構成されて筒壁に第１の螺合部が設けられ、化粧料又は塗布体の何れか一方を備えた容器本体と、
一端が閉じられた筒状に構成されて筒壁に前記第１の螺合部に螺合可能な第２の螺合部が設けられ、前記化粧料又は前記塗布体の他方を備えた蓋体と、を具備し、
前記第１、第２の螺合部同士が螺合することにより前記容器本体に前記蓋体が着脱可能に装着される化粧料容器であって、
前記蓋体は、
前記第２の螺合部が設けられると共に、前記化粧料又は前記塗布体の他方を案内するための案内部が設けられた継ぎ具と、
前記継ぎ具に対して軸線方向に移動不能且つ軸線周りに回転可能とされ使用者により回転操作される把持部と、
前記化粧料又は前記塗布体の他方と一体となり、前記把持部に対して軸線方向に移動可能且つ軸線周りに同期回転可能とされたスリーブ部と、
前記スリーブ部と同期回転可能とされると共に、前記把持部の回転により前記案内部に案内される被案内部が設けられ軸線方向に移動するストッパ部と、を備え、
前記容器本体に前記蓋体が装着されている際は、前記ストッパ部及び前記スリーブ部、前記化粧料又は前記塗布体の他方が後退限まで引き戻されて前記化粧料と前記塗布体とが離間し、
前記容器本体に対して前記蓋体が取り外し方向に回転操作されると、前記ストッパ部の前記被案内部が前記継ぎ具の前記案内部に案内され前記ストッパ部及び前記スリーブ部、前記化粧料又は前記塗布体の他方が前記容器本体側へ移動して前記化粧料と前記塗布体とが接触し、同方向の回転操作が続けられると、前記把持部と前記継ぎ具が一体となり前記第１、第２の螺合部の螺合作用が働いて前記容器本体から前記蓋体が取り外され、
前記容器本体に対して前記蓋体が装着方向に回転操作されると、前記第１、第２の螺合部の螺合作用が働いて前記容器本体に前記蓋体が装着され、前記第１、第２の螺合部の螺合作用が停止すると、前記把持部と前記継ぎ具が回転可能となり前記ストッパ部の前記被案内部が前記継ぎ具の前記案内部に案内され前記ストッパ部及び前記スリーブ部、前記化粧料又は前記塗布体の他方が前記後退限まで引き戻されて前記化粧料と前記塗布体とが離間することを特徴とする化粧料容器。
【請求項２】
前記蓋体は、前記スリーブ部を前記容器本体側へ付勢する弾性体を有することを特徴とする請求項１記載の化粧料容器。
【請求項３】
前記弾性体は、コイルバネであることを特徴とする請求項２記載の化粧料容器。
【請求項４】
前記スリーブ部の前進限は、前記化粧料と前記塗布体とが接触したときの位置より前記容器本体側に設定されていることを特徴とする請求項１〜３の何れか一項に記載の化粧料容器。
【発明の詳細な説明】
【技術分野】
【０００１】
本発明は、化粧料容器に関する。
【背景技術】
【０００２】
従来、内部に固形化粧料や粉体化粧料を固めた化粧料を収容する容器本体と、この容器本体に着脱可能に装着される蓋体と、例えばパフ等の塗布体と、を備え、容器本体に蓋体が装着されている際には（閉蓋時には）、塗布体が化粧料と蓋体との間に圧縮されて収容され、容器本体から蓋体が取り外されると（開蓋時には）、塗布体を指で持って取り出し塗布に供することができる化粧料容器が知られている（例えば、特許文献１参照）。
【先行技術文献】
【特許文献】
【０００３】
【特許文献１】特開２００２−１２５７５０号公報
【発明の概要】
【発明が解決しようとする課題】
【０００４】
しかしながら、上記化粧料容器にあっては、容器本体に対して蓋体が装着される保管時に、塗布体に化粧料が付着し過ぎると共に塗布体が圧縮されて潰れてしまうという問題がある。
【０００５】
そこで、本発明は、特別な操作を必要とすることなく、容器本体に対する蓋体の取り外し操作に連動して塗布体に適量の化粧料を付着できると共に、容器本体に対する蓋体の装着操作に連動して塗布体の潰れを防止できる化粧料容器を提供することを目的としている。
【課題を解決するための手段】
【０００６】
本発明による化粧料容器は、一端が閉じられた筒状に構成されて筒壁に第１の螺合部が設けられ、化粧料又は塗布体の何れか一方を備えた容器本体と、一端が閉じられた筒状に構成されて筒壁に第１の螺合部に螺合可能な第２の螺合部が設けられ、化粧料又は塗布体の他方を備えた蓋体と、を具備し、第１、第２の螺合部同士が螺合することにより容器本体に蓋体が着脱可能に装着される化粧料容器であって、蓋体は、第２の螺合部が設けられると共に、化粧料又は塗布体の他方を案内するための案内部が設けられた継ぎ具と、継ぎ具に対して軸線方向に移動不能且つ軸線周りに回転可能とされ使用者により回転操作される把持部と、化粧料又は塗布体の他方と一体となり、把持部に対して軸線方向に移動可能且つ軸線周りに同期回転可能とされたスリーブ部と、スリーブ部と同期回転可能とされると共に、把持部の回転により案内部に案内される被案内部が設けられ軸線方向に移動するストッパ部と、を備え、容器本体に蓋体が装着されている際は、ストッパ部及びスリーブ部、化粧料又は塗布体の他方が後退限まで引き戻されて化粧料と塗布体とが離間し、容器本体に対して蓋体が取り外し方向に回転操作されると、ストッパ部の被案内部が継ぎ具の案内部に案内されストッパ部及びスリーブ部、化粧料又は塗布体の他方が容器本体側へ移動して化粧料と塗布体とが接触し、同方向の回転操作が続けられると、把持部と継ぎ具が一体となり第１、第２の螺合部の螺合作用が働いて容器本体から前記蓋体が取り外され、容器本体に対して蓋体が装着方向に回転操作されると、第１、第２の螺合部の螺合作用が働いて容器本体に蓋体が装着され、第１、第２の螺合部の螺合作用が停止すると、把持部と継ぎ具が回転可能となりストッパ部の被案内部が継ぎ具の案内部に案内されストッパ部及びスリーブ部、化粧料又は塗布体の他方が後退限まで引き戻されて化粧料と塗布体とが離間することを特徴としている。
【０００７】
このような化粧料容器によれば、容器本体に蓋体が装着されている際は、化粧料と塗布体とが離間し、容器本体に対して蓋体が取り外し方向に回転操作されると、先ず、把持部と同期回転するストッパ部のその被案内部が継ぎ具の案内部に案内され、当該ストッパ部及びスリーブ部、化粧料又は塗布体が容器本体側へ移動して化粧料と塗布体とが接触し、次いで、第１、第２の螺合部の螺合作用が働き容器本体から蓋体が取り外される。従って、特別な操作を必要とすることなく、容器本体に対する蓋体の取り外し操作に連動して塗布体に適量の化粧料を付着できる。また、容器本体に対して蓋体が装着方向に回転操作されると、先ず、第１、第２の螺合部の螺合作用が働き容器本体に蓋体が装着され、次いで、把持部と同期回転するストッパ部のその被案内部が継ぎ具の案内部に案内され、当該ストッパ部及びスリーブ部、化粧料又は塗布体が上記とは反対方向へ移動して化粧料と塗布体とが離間する。従って、特別な操作を必要とすることなく、容器本体に対する蓋体の装着操作に連動して塗布体の潰れを防止できる。
【０００８】
ここで、蓋体は、スリーブ部を容器本体側へ付勢する弾性体を有していると、弾性体の付勢力により、スリーブ部の軸線方向の移動を円滑に行うことができる。
【０００９】
この場合、弾性体をコイルバネとするのが好ましい。
【００１０】
また、スリーブ部の前進限は、化粧料と塗布体とが接触したときの位置より容器本体側に設定されていると、化粧料が使用により減った場合でも、化粧料又は塗布体の他方が容器本体側の化粧料又は塗布体の一方に接触するように減り具合に追従するため、化粧料の減り具合に対応して常に塗布体に適量の化粧料を付着できる。また、化粧料又は塗布体の他方が塗布体であり当該塗布体とスリーブ部とが一体となっている場合で、且つ、弾性体を有している場合には、容器本体から蓋体が取り外されると、化粧料と塗布体との接触により容器本体側へのそれ以上の移動が阻止されていたスリーブ部が、弾性体の付勢力により、塗布体による使用に最適な位置である前進限までさらに押し出されるため、素早く化粧を施すことができると共に、塗布体による塗布が一層しやすくなる。
【発明の効果】
【００１１】
このように本発明によれば、特別な操作を必要とすることなく、容器本体に対する蓋体の取り外し操作に連動して塗布体に適量の化粧料を付着できると共に、容器本体に対する蓋体の装着操作に連動して塗布体の潰れを防止できる。
【図面の簡単な説明】
【００１２】
【図１】本発明の実施形態に係る化粧料容器を示す縦断面図である。
【図２】図１の状態から蓋体を取り外した状態を示す縦断面図である。
【図３】図１に示す化粧料容器を上側から見た分解斜視図である。
【図４】図１に示す化粧料容器を下側から見た分解斜視図である。
【発明を実施するための形態】
【００１３】
以下、添付図面を参照しながら、本発明の実施形態について詳細に説明する。
【００１４】
図１は、本発明の実施形態に係る化粧料容器を示す縦断面図、図２は、蓋体を取り外した状態を示す縦断面図、図３及び図４は、化粧料容器の分解斜視図である。
【００１５】
図１に示すように、本実施形態の化粧料容器１００は、使用者が化粧料Ｍを例えば顔等に施すときに用いられるものであり、容器１，２内に化粧料Ｍ及び塗布体３を収容し、開蓋時に塗布体３に化粧料Ｍが付着し、閉蓋時に塗布体３と化粧料Ｍが非接触状態になるものである。以下、詳細に説明する。なお、上下は図面を基準とする。
【００１６】
化粧料Ｍは、ここでは、特に好適であるとして、プレストパウダーとされているが、粉体化粧料を固めた化粧料やクリーム状の化粧料等であっても良く、本発明に適用可能であれば化粧料の状態を限定するものではない。
【００１７】
化粧料容器１００は、化粧料Ｍを収容する容器本体１と、この容器本体１を上方から覆い容器本体１に着脱可能に装着される蓋体２と、を備える。
【００１８】
容器本体１は、図１、図３及び図４に示すように、一端が閉じられた円筒状（有底円筒状）に構成され、筒壁内の下半部に化粧料Ｍを収容するための収容空間を備える。この収容空間には、その上面に化粧料Ｍを収容した化粧料収容部１１が配置される。化粧料収容部１１は、上方に開放されるカップ状に構成され、化粧料Ｍは、カップ状に倣うように中央が下方に湾曲するすり鉢状に収容される。容器本体１の上部の筒壁には、蓋体２を装着するための螺合部（第１の螺合部）１ａが周方向に沿い軸線方向に延びるように設けられる。螺合部１ａは、ここでは、内周面に形成された雌螺子である。
【００１９】
蓋体２は、化粧料Ｍを塗布するための塗布体３を備えるものであり、蓋として機能すると共に使用者に把持されて回転操作される把持部４と、把持部４に係合し容器本体１に着脱可能に係合する継ぎ具５と、把持部４の回転に応じて蓋体２の軸線方向に移動するストッパ部７と、塗布体３が装着されると共にストッパ部７と共に軸線方向に移動するスリーブ部９と、塗布体３及びスリーブ部９から成る塗布具１２を容器本体１側へ付勢する弾性体８と、を備える。
【００２０】
把持部４は、一端が閉じられた短尺な円筒状（有底円筒状）に構成され、容器本体１に向かい合うように配置される。この把持部４の筒壁の内周面には、継ぎ具５を軸線方向に係合するための凹部４ｂが円環状に設けられる。また、把持部４の底部には、容器本体１側に向かって突出する円筒状の突出部４ｘが形成され、この突出部４ｘの筒壁の外周面に、軸線方向に延びると共に周方向に沿って凹凸が並設されたローレット４ｄが、スリーブ部９を回転方向に係合するためのものとして設けられる。突出部４ｘは、その内部が、弾性体８の収容空間とされる。また、把持部４の底部の外縁側の内面には、把持部４の回転により、継ぎ具５の切欠部５ｓの端部５ｘ，５ｙに当接する突起４ｓが一対対向して設けられる。なお、把持部４は使用者に把持されて回転操作されるため、その外周面に、滑り止めとして、周方向に沿って凹凸が並設されるローレット等を設けることが好ましい。
【００２１】
継ぎ具５は、円筒状に構成され、その筒壁の容器本体１側に、容器本体１の螺合部１ａと螺合可能な螺合部（第２の螺合部）５ａが周方向に沿って設けられる。螺合部５ａは、ここでは、外周面に形成された雄螺子である。継ぎ具５の螺合部５ａより把持部４側の外周面には、円環状の凸部５ｂが、把持部４の凹部４ｂに軸線方向に係合するためのものとして設けられる。継ぎ具５の螺合部５ａより把持部４側の内周面には、軸線方向に螺旋を描くように傾斜するスロープが、ストッパ部７を案内するための案内部５ｄとして周方向に沿って４個が連続して設けられる。この案内部５ｄとしてのスロープは、具体的には、各々が、上端から周方向に沿って下向きに傾斜し円弧を描くようにしながら下端へ向かうものであり、下端まで行ったら垂直に上端まで上がり、周方向にこれを繰り返すものである。
【００２２】
また、継ぎ具５の上端面には、対向する一対の位置に、周方向に沿って下側に向かって切り欠かれた平面視円弧状の切欠部５ｓが設けられる。この切欠部５ｓに、把持部４の突起４ｓが進入し、把持部４の回転により把持部４の突起４ｓが切欠部５ｓの一方の端部５ｘに当接したときから、一方向への把持部４と継ぎ具５の一体回転が可能となり、把持部４の逆回転により把持部４の突起４ｓが切欠部５ｓの他方の端部５ｙに当接したときが、塗布体３の後退限となる。
【００２３】
塗布具１２を構成するスリーブ部９は、円板部９ａの下面に下側円筒部９ｂを立設すると共に、上面に上側円筒部９ｃを立設したもので、下側円筒部９ｂの方が上側円筒部９ｃより多少大径とされる。
【００２４】
上側円筒部９ｃの内周面には、軸線方向に延びると共に周方向に沿って凹凸が並設されたローレット９ｄが、把持部４の突出部４ｘのローレット４ｄに回転方向に係合するためのものとして設けられる。また、上側円筒部９ｃの上端には、ストッパ部７の上方への抜け止めとなる鍔部９ｆが円環状に設けられる共に、鍔部９ｆより下側の外周面に、ストッパ部７を回転方向に係合するための突条９ｅが、周方向の４等配の位置に軸線方向に延びるように設けられる。
【００２５】
塗布具１２を構成する塗布体３は、その外面が外側へ膨らみ略半球形状を成し、例えば、発泡ウレタン、ＮＢＲ等の多孔質材の弾性体で構成され、この多孔質材の弾性体である例えばスポンジやパフ等の片面に植毛を施したものとされる。
【００２６】
そして、塗布体３は、その上端部が、スリーブ部９の下側円筒部９ｂ内に進入し密着保持される。
【００２７】
ストッパ部７は、短尺な円筒状に構成され、その外周面に、継ぎ具５の案内部５ｄに係わり案内される被案内部７ｄを備える。被案内部７ｄは、継ぎ具５の案内部５ｄに対応するように、周方向に沿って４等配の位置に離間配置される。それぞれの被案内部７ｄは、継ぎ具５の案内部５ｄに各々乗り、傾斜するスロープである案内部５ｄをスライドできるような傾斜形状の突起とされている。
【００２８】
ストッパ部７の内周面には、軸線方向に延びると共に周方向に沿って凹凸が並設されたローレット７ｅが、スリーブ部９の上側円筒部９ｃの突条９ｅに回転方向に係合するためのものとして設けられる。このローレット７ｅを構成する凸部の上部には、スリーブ部９の鍔部９ｆに当接することで上方への抜け止めとなる凸部７ｆが、内方に突出すると共に円弧状に延びるように設けられる。
【００２９】
弾性体８は、ここでは、圧縮コイルバネとされ、把持部４の突出部４ｘ内に収容されるものである。
【００３０】
そして、把持部４の上下を逆に配置した状態で、弾性体８を把持部４の突出部４ｘ内に収容し、この状態で、塗布体３を保持すると共にストッパ部７を同期回転可能に付設したスリーブ部９を、そのローレット４ｄ，９ｄ同士が合わさるようにして、把持部４に同期回転可能且つ軸線方向移動可能に装着する。そして、継ぎ具５を、把持部４の筒壁に内挿すると共にストッパ部７に外挿し、継ぎ具５の凸部５ｂを把持部４の凹部４ｂに軸線方向に係合させることにより、把持部４に軸線方向に移動不能且つ軸線周りに回転可能に装着する。
【００３１】
このとき、弾性体８により、スリーブ部９は容器本体１側へ付勢され、スリーブ部９の鍔部９ｆがストッパ部７の凸部７ｆに当接すると共に、ストッパ部７の被案内部７ｄが、継ぎ具５の案内部５ｄに当接し、ストッパ部７は、スリーブ部９の鍔部９ｆと継ぎ具５の案内部５ｄとの間に挟持された状態となっていると共に、ストッパ部７の被案内部７ｄが継ぎ具５の案内部５ｄをスライド可能となっている。この状態で、弾性体８は、把持部４の底部とスリーブ部９の円板部９ａとの間で付勢力を蓄えた状態となる。
【００３２】
次に、このような構成を有する化粧料容器１００の作用について説明する。先ず、図１に示すように、蓋体２が容器本体１に装着されている場合には、塗布体３、スリーブ部９及びストッパ部７は後退限（引き戻し限）まで引き戻された状態で化粧料Ｍと塗布体３とが離間し、化粧料Ｍと塗布体３との間には空間Ｓが設けられ、当該化粧料Ｍと塗布体３とは非接触の状態にある。
【００３３】
この状態から使用する場合、使用者は蓋体２を取り外すべく容器本体１と蓋体２を持って蓋体２を取り外し方向（緩める方向；螺合解除方向）に回転操作する。すると、容器本体１の螺合部１ａに対して蓋体２の継ぎ具５の螺合部５ａが螺合限まで締め込まれているため、容器本体１及び継ぎ具５が一体となり、継ぎ具５に対して把持部４が回転し、把持部４と共に、スリーブ部９及びストッパ部７が回転し、ストッパ部７の被案内部７ｄが継ぎ具５の案内部５ｄに案内され回転しながら容器本体１側へ移動する。
【００３４】
このとき、スリーブ部９は、弾性体８の付勢力により容器本体１側へ付勢されているため、ストッパ部７及びスリーブ部９並びに塗布体３は円滑に移動する。その後、塗布体３は化粧料Ｍに接触し、それ以上の移動が阻止される。
【００３５】
そして、このように塗布体３と化粧料Ｍが当接しそれ以上の前進が阻止されると、把持部４の突起４ｓが切欠部５ｓの一方の端部５ｘに当接し、把持部４と継ぎ具５が一体となり（同方向への同期回転が可能となり）、これに続く取り外し方向へのさらなる回転操作により、容器本体１の螺合部１ａと継ぎ具５の螺合部５ａの螺合作用が働いて、容器本体１から蓋体２が取り外される。
【００３６】
すると、化粧料Ｍと塗布体３との接触により容器本体１側へのそれ以上の移動が阻止されていた塗布体３、ストッパ部７及びスリーブ部９が、弾性体８の付勢力により、前方へ向かって押し出され、使用に最適な位置である前進限（押し出し限）まで押し出される（図２参照）。
【００３７】
そして、使用にあたっては、使用者は蓋体２を持って塗布体３を使用者の例えば顔等に軽く叩くように押し当てると、塗布体３に適量が付着した化粧料Ｍが塗布に供される。
【００３８】
使用が終わると、使用者は蓋体２を装着すべく容器本体１と蓋体２を持って蓋体２を装着方向（締める方向；螺合方向）に回転操作する。すると、容器本体１の螺合部１ａに対して蓋体２の継ぎ具５の螺合部５ａが螺合していき螺合限まで締め込まれることで、容器本体１の螺合部１ａと継ぎ具５の螺合部５ａの螺合作用が停止し、容器本体１に対して蓋体２が装着されると共に、容器本体１及び継ぎ具５が一体となり、これに続く装着方向へのさらなる回転操作により、継ぎ具５に対して把持部４が回転し、把持部４と共に、スリーブ部９及びストッパ部７が回転し、ストッパ部７の被案内部７ｄが継ぎ具５の案内部５ｄに案内され回転しながら上記とは反対方向である把持部４の底部側へ移動し、把持部４の突起４ｓが切欠部５ｓの他方の端部５ｙに当接する後退限まで引き戻される。そして、化粧料Ｍと塗布体３とが離間する状態となる（図１参照）。
【００３９】
このように、本実施形態においては、容器本体１に蓋体２が装着されている際は、化粧料Ｍと塗布体３とが離間し、容器本体１に対して蓋体２が取り外し方向に回転操作されると、先ず、把持部４と同期回転するストッパ部７のその被案内部７ｄが継ぎ具５の案内部５ｄに案内され、当該ストッパ部７及びスリーブ部９、塗布体３が容器本体１側へ移動して化粧料Ｍと塗布体３とが接触し、次いで、第１、第２の螺合部１ａ，５ａの螺合作用が働き容器本体１から蓋体２が取り外されるため、特別な操作を必要とすることなく、容器本体１に対する蓋体２の取り外し操作に連動して塗布体３に適量の化粧料Ｍを付着できる。また、容器本体１に対して蓋体２が装着方向に回転操作されると、先ず、第１、第２の螺合部１ａ，５ａの螺合作用が働き容器本体１に蓋体２が装着され、次いで、把持部４と同期回転するストッパ部７のその被案内部７ｄが継ぎ具５の案内部５ｄに案内され、当該ストッパ部７及びスリーブ部９、塗布体３が上記とは反対方向へ移動して化粧料Ｍと塗布体３とが離間するため、特別な操作を必要とすることなく、容器本体１に対する蓋体２の装着操作に連動して塗布体３の潰れを防止できる。
【００４０】
また、蓋体２は、スリーブ部９を容器本体１側へ付勢する弾性体８を有しているため、弾性体８の付勢力により、スリーブ部９の軸線方向の移動を円滑に行うことができる。
【００４１】
また、スリーブ部９の前進限は、化粧料Ｍと塗布体３とが接触したときの位置より容器本体１側に設定されているため、化粧料Ｍが使用により減った場合でも、塗布体３が容器本体１側の化粧料Ｍに接触するように減り具合に追従し、化粧料Ｍの減り具合に対応して常に塗布体３に適量の化粧料Ｍを付着できる。
【００４２】
また、容器本体１から蓋体２が取り外されると、化粧料Ｍと塗布体３との接触により容器本体１側へのそれ以上の移動が阻止されていたスリーブ部９が、弾性体８の付勢力により、塗布体３による使用に最適な位置である前進限までさらに押し出されるため、素早く化粧を施すことができると共に、塗布体３による塗布が一層しやすくなっている。
【００４３】
なお、上記化粧料容器１００からストッパ部７を取り除けば、蓋体２が容器本体１に装着されているときは、弾性体８により塗布体３が化粧料Ｍに接触する構成の化粧料容器とすることができる。
【００４４】
以上、本発明をその実施形態に基づき具体的に説明したが、本発明は上記実施形態に限定されるものではなく、例えば、上記実施形態においては、特に好ましいとして、弾性体８をコイルバネとしているが、複数枚の板バネを積層したものでも良く、また、樹脂バネ等であっても良い。
【００４５】
また、螺合部を構成する雄螺子と雌螺子の組み合わせや、案内部５ｄと被案内部７ｄの組み合わせは、上記実施形態の逆でも勿論良い。
【００４６】
また、上記実施形態においては、スリーブ部９とストッパ部７を別体としているが、一体品や、別部品を連結して一体化したものでも良い。
【００４７】
また、上記実施形態においては、容器本体１が化粧料Ｍを備えると共に、蓋体２が塗布体３を備えるようにしているが、容器本体１が塗布体３を備えると共に、蓋体２が化粧料Ｍを備え、蓋体２が、上述した把持部４、継ぎ具５、スリーブ部９、ストッパ部７等を備える構成とし、化粧料Ｍが移動して塗布体３に接離する構成としても良い。
【符号の説明】
【００４８】
１…容器本体、１ａ…第１の螺合部、２…蓋体、３…塗布体、４…把持部、５…継ぎ具、５ａ…第２の螺合部、５ｄ…案内部、７…ストッパ部、７ｄ…被案内部、８…コイルバネ（弾性体）、９…スリーブ部、１００…化粧料容器、Ｍ…化粧料。
【図１】
0006346814.tif 000002
【図２】
0006346814.tif 000003
【図３】
0006346814.tif 000004
【図４】
0006346814.tif 000005